(57)【要約】【課題】  簡単な操作で操作部材のロックおよびロック解除が容易にできるスイッチ装置を提供する。【解決手段】  貫通孔１１を有する腕時計ケース１と、この貫通孔１１内に挿入される操作軸部１２およびこの操作軸部１２の外端部に設けられた操作頭部１３を有する操作部材７と、操作軸部１２の軸方向に対して直交する方向に弾性変形する弾性部１６を有する係合部材８と、操作部材７の軸方向への移動操作に応じて弾性部１６を係脱可能に係止することにより、操作部材７の軸方向への移動を規制する位置規制部材９と、を備えている。従って、操作部材７を引き出して操作軸部１２を軸方向に移動させるだけで、弾性部１６を弾性変形させて位置規制部材９に対する係合を解除することができ、また操作部材７を押し込んで操作軸部１２を軸方向に移動させるだけ、弾性部１６を弾性復帰させて位置規制部材９に係止させることができる。【選択図】        図１
2014089109.tif 000002
【特許請求の範囲】
【請求項１】
貫通孔を有するケースと、
このケースの前記貫通孔内に挿入される軸部およびこの軸部の外端部に設けられた操作部を有する操作部材と、
この操作部材の前記軸部の軸方向に対して直交する方向に弾性変形する弾性部を有する係合部材と、
前記操作部材の軸方向への移動操作に応じて前記係合部材の前記弾性部を係脱可能に係止することにより、前記操作部材の軸方向への移動を規制する位置規制部材と、
を備えていることを特徴とするスイッチ装置。
【請求項２】
請求項１に記載のスイッチ装置において、前記係合部材は、前記操作部材の前記軸部の外周面に取り付けられる筒状部を有し、この筒状部に前記弾性部が設けられていることを特徴とするスイッチ装置。
【請求項３】
請求項２に記載のスイッチ装置において、前記弾性部は、前記筒状部の一端部にその外周に沿って形成された山形部と、この山形部に前記筒状部の軸方向に沿って形成された複数のスリット孔とを有し、前記山形部が前記複数のスリット孔によって前記筒状部の軸方向に対して直交する方向に弾性変形することを特徴とするスイッチ装置。
【請求項４】
請求項１〜請求項３のいずれかに記載のスイッチ装置において、前記位置規制部材は、前記ケースの前記貫通孔内に固定された状態で、前記係合部材が前記操作部材の前記軸部と共に軸方向に沿って移動可能に挿入する筒状の規制本体部と、この規制本体部の内周面に設けられて前記係合部材の前記弾性部が係脱可能に挿入する規制凹部とを備えていることを特徴とするスイッチ装置。
【請求項５】
請求項４に記載のスイッチ装置において、前記規制凹部には、前記係合部材の前記弾性部を前記軸部の軸方向に対して直交する方向に向けて斜めに摺動させるための傾斜面が形成されていることを特徴とするスイッチ装置。
【請求項６】
請求項４または請求項５に記載のスイッチ装置において、前記位置規制部材は、前記規制凹部が前記規制本体部の内周面における軸方向の複数個所にそれぞれ設けられていることを特徴とするスイッチ装置。
【発明の詳細な説明】
【技術分野】
【０００１】
この発明は、腕時計などの時計に用いられるスイッチ装置に関する。
【背景技術】
【０００２】
例えば、腕時計においては、特許文献１に記載されているように、腕時計ケースに竜頭などの操作部材が引き出し可能に設けられたスイッチ装置を備えたものが知られている。この種のスイッチ装置は、腕時計ケースから外部に突出した操作部材を引き出し、この状態で操作部材を回転させることにより、時刻を修正するように構成されている。
【先行技術文献】
【特許文献】
【０００３】
【特許文献１】特開２００６−１９４８３４号公報
【０００４】
このようなスイッチ装置は、腕時計ケースの貫通孔に巻真パイプが取り付けられ、この巻真パイプ内に操作部材の軸部が挿入され、この操作部材の軸部に巻真の外端部が取り付けられた構成になっている。この場合、操作部材には、複数の係合凸部を有するリング部材が取り付けられている。また、巻真パイプは、腕時計ケースの貫通孔に取り付けられる小径部と、腕時計ケースの外部に突出する大径部とを有し、この大径部の外周面にリング部材の係合凸部を係脱可能に係止する複数の係止溝部が設けられている。
【０００５】
この係止溝部は、操作部材に取り付けられたリング部材の係合凸部を巻真パイプの軸方向に沿って移動させて係止溝部から離脱可能に案内する着脱用の案内溝と、リング部材の係合凸部における軸方向への移動を規制してロックするロック溝と、リング部材の係合凸部を案内溝とロック溝とのいずれか一方に導く連続溝とを備えている。
【０００６】
このため、このスイッチ装置では、操作部材をロックする際に、リング部材の係合凸部を案内溝に挿入して押し込み、この状態で操作部材を回転させると、リング部材の係合凸部が案内溝から連続溝を経てロック溝に移動することにより、このロック溝によって係合凸部に対する巻真パイプの軸方向への移動が規制され、これにより操作部材が押し込まれた状態でロックされる。
【０００７】
また、このスイッチ装置では、操作部材のロックを解除して操作部材を引き出す際に、操作部材を押し込みながら回転させることにより、ロック溝内に位置するリング部材の係合凸部をロック溝から連続溝に送り込み、この連続溝に送り込まれた係合凸部が案内溝に移動することにより、ロック溝による係合凸部のロックが解除され、この状態でリング部材の係合凸部を軸方向に沿って移動させて案内溝から離脱させることにより、操作部材が引き出されて時刻修正ができる状態になる。
【発明の概要】
【発明が解決しようとする課題】
【０００８】
しかしながら、このようなスイッチ装置では、操作部材を押し込んでロックする際に、リング部材の係合凸部を案内溝に対応させなければ、リング部材の係合凸部を案内溝に挿入して操作部材を押し込むことができず、しかも操作部材を案内溝内に押し込んだ状態で操作部材を回転させなければ、リング部材の係合凸部をロック溝に移動させてロックすることができないため、操作部材の操作が煩雑で面倒であり、操作部材の操作性が悪いという問題がある。
【０００９】
また、このスイッチ装置では、操作部材のロックを解除して操作部材を引き出す際に、操作部材を押し込みながら回転させなければ、ロック溝内に位置するリング部材の係合凸部をロック溝内から離脱させて案内溝に移動させることができず、係合凸部に対するロックを解除することができないため、操作部材の操作が煩雑で面倒であり、操作部材の操作性が悪いという問題がある。
【００１０】
この発明が解決しようとする課題は、簡単な操作で操作部材のロックおよびロック解除が容易にできるスイッチ装置を提供することである。
【課題を解決するための手段】
【００１１】
この発明は、貫通孔を有するケースと、このケースの前記貫通孔内に挿入される軸部およびこの軸部の外端部に設けられた操作部を有する操作部材と、この操作部材の前記軸部の軸方向に対して直交する方向に弾性変形する弾性部を有する係合部材と、前記操作部材の軸方向への移動操作に応じて前記係合部材の前記弾性部を係脱可能に係止することにより、前記操作部材の軸方向への移動を規制する位置規制部材と、を備えていることを特徴とするスイッチ装置である。
【発明の効果】
【００１２】
この発明によれば、操作部材の操作部を回転させずに引き出して軸部を軸方向に移動させるだけで、係合部材の弾性部を弾性変形させて位置規制部材に対する弾性部の係合を解除することができ、またこの状態で、操作部材の操作部を回転させずに押し込んで軸部を軸方向に移動させるだけ、係合部材の弾性部を弾性復帰させて位置規制部材に係止させることができる。このため、操作部材を回転操作する必要がなく、引き出し操作および押し込み操作をするだけの簡単な操作で、操作部材のロックおよびロック解除が容易にできる。
【図面の簡単な説明】
【００１３】
【図１】この発明のスイッチ装置を腕時計に適用した第１実施形態において、操作部材を押し込んだ状態を示した要部の拡大断面図である。
【図２】図１に示された腕時計において、操作部材を引き出した状態を示した要部の拡大断面図である。
【図３】図１に示されたスイッチ装置の係合部材を示し、（ａ）はその拡大正面図、（ｂ）はその拡大側面図、（ｃ）は（ａ）のＡ−Ａ矢視における拡大断面図である。
【図４】図１に示されたスイッチ装置の位置規制部材を示し、（ａ）はその拡大正面図、（ｂ）はその拡大側面図、（ｃ）は（ａ）のＢ−Ｂ矢視における拡大断面図である。
【図５】この発明のスイッチ装置を腕時計に適用した第２実施形態において、操作部材を押し込んだ状態を示した要部の拡大断面図である。
【図６】図５に示された腕時計において、操作部材を引き出した状態を示した要部の拡大断面図である。
【図７】図５に示されたスイッチ装置の位置規制部材を示し、（ａ）はその拡大正面図、（ｂ）はその拡大側面図、（ｃ）は（ａ）のＣ−Ｃ矢視における拡大断面図である。
【発明を実施するための形態】
【００１４】
（第１実施形態）
以下、図１〜図４を参照して、この発明を腕時計に適用した第１実施形態について説明する。
この腕時計は、図１および図２に示すように、腕時計ケース１を備えている。この腕時計ケース１は、ケース本体１ａと、このケース本体１ａの上部外周に取り付けられたベゼル１ｂとを備えている。
【００１５】
この腕時計ケース１におけるケース本体１ａの上側開口部には、図１および図２に示すように、時計ガラス２がパッキン２ａを介して取り付けられている。また、この腕時計ケース１におけるケース本体１ａの下部には、裏蓋３が防水リング３ａを介して取り付けられている。さらに、この腕時計ケース１におけるケース本体１ａの内部には、時計モジュール４が設けられている。
【００１６】
また、この腕時計ケース１の３時側に位置する側部には、図１および図２に示すように、スイッチ装置５が設けられている。このスイッチ装置５は、時計モジュール４のモード切替や時刻修正などを行うためのものであり、後述する巻真６、操作部材７、係合部材８、および位置規制部材９を備えている。
【００１７】
この場合、腕時計ケース１の３時側に位置する側壁部には、図１および図２に示すように、腕時計ケース１の内部と外部とに貫通する貫通孔１１が、ケース本体１ａとベゼル１ｂとに亘って設けられている。この貫通孔１１は、腕時計ケース１におけるケース本体１ａの内部側に位置する小径孔部１１ａと、腕時計ケース１におけるケース本体１ａの外部側からベゼル１ｂに亘る大径孔部１１ｂとを有している。
【００１８】
これにより、この貫通孔は、図１および図２に示すように、その内部に段差部１１ｃを有し、全体が段差状に形成されている。この貫通孔１１内には、スイッチ装置５の操作部材７がその軸方向にスライド可能でかつ軸方向と直交する方向に回転可能に挿入されている。この操作部材７は、腕時計ケース１の貫通孔１１内に挿入する操作軸部１２と、この操作軸部１２の外端部に設けられた操作頭部１３とを備えている。
【００１９】
操作頭部１３は、図１および図２に示すように、その外径が貫通孔１１の大径孔部１１ｂの内径とほぼ同じ大きさに形成されている。この操作頭部１３は、その外端部が貫通孔１１から腕時計ケース１の外部、つまりベゼル１ｂの外部に突出した状態で、貫通孔１１の大径孔部１１ｂ内にその軸方向に沿って移動可能に配置されるように構成されている。
【００２０】
また、操作部材７の操作軸部１２は、図１および図２に示すように、その外径が貫通孔１１の小径孔部１１ａの内径とほぼ同じ大きさに形成されている。この操作軸部１２は、その長さがケース本体１ａに位置する貫通孔１１の長さよりも少し長く形成されている。この場合、貫通孔１１の小径孔部１１ａ内に位置する操作軸部１２の外周面には、複数のパッキン溝１２ａが環状に設けられている。
【００２１】
この複数のパッキン溝１２ａには、図１および図２に示すように、防水リング１４がそれぞれ装着されている。この防水リング１４は、その外周部がパッキン溝１２ａから突出し、この突出した外周部が貫通孔１１の小径孔部１１ａの内面に圧接することにより、操作軸部１２と貫通孔１１との間の防水を図るように構成されている。
【００２２】
一方、貫通孔１１の大径孔部１１ｂ内に位置する操作軸部１２の外周面には、図１および図２に示すように、係合部材８が取り付けられている。この係合部材８は、操作部材７の操作軸部１２の外周面に取り付けられる円筒状の筒状部１５を有している。この係合部材８は、腕時計ケース１の内部側に位置する筒状部１５の内端部に操作軸部１２の軸方向に対して直交する方向に弾性変形する弾性部１６が設けられた構成になっている。
【００２３】
この弾性部１６は、図１〜図３に示すように、腕時計ケース１の内部側に位置する筒状部１５の内端部にその外周に沿って形成された山形部１６ａと、この山形部１６ａに筒状部１５の軸方向に沿って形成された複数のスリット孔１６ｂとを有している。これにより、弾性部１６は、山形部６ａが複数のスリット孔１６ｂによって筒状部１５の軸方向に対して直交する方向に弾性変形するように構成されている。
【００２４】
すなわち、この弾性部１６は、図１〜図３に示すように、その山形部１６ａが筒状部１５の外周側から内部側に向けて押されると、山形部１６ａが押し潰されるように弾性変形して、操作軸部１２の外周面に押し付けられる状態になることにより、筒状部１５の外径とほぼ同じ外径になるように構成されている。
【００２５】
また、筒状部１５の外端部、つまり腕時計ケース１の外部側に位置する筒状部１５の端部には、図１〜図３に示すように、操作部材７の操作軸部１２に設けられた係止溝１８に係止される係合フック１７が設けられている。この係合フック１７は、図３（ａ）〜図３（ｃ）に示すように、筒状部１５の外端部（図３（ｃ）では左端部）における互いに対向する個所を筒状部１５の内部に向けて折り曲げることにより、互いに対向する方向に突出して設けられている。
【００２６】
この場合、筒状部１５には、図３（ａ）および図３（ｂ）に示すように、係合フック１７を筒状部１５の軸方と直交する方向に向けて弾力的に変位させるための切欠き溝１７ａが係合フック１７の両側に位置して設けられていることが望ましい。また、操作軸部１２の係止溝１８は、図１および図２に示すように、操作頭部１３に接近する操作軸部１２の外端面に環状に設けられていても良く、また係合フック１７に対応する個所のみに設けられていても良い。
【００２７】
これにより、係合フック１７は、図１〜図３に示すように、筒状部１５を操作軸部１２に取り付ける際に、係合フック１７を切欠き溝１７ａによって筒状部１５の軸方向に対して直交する方向に向けて弾力的に変位させ、この状態で筒状部１５に操作軸部１２を挿入させて筒状部１５を操作軸部１２の外周面に装着した際に、操作軸部１２の係止溝１８に係止されることにより、係合部材８の筒状部１５が操作軸部１２の軸方向に移動することなく、筒状部１５を操作軸部１２に対して取り付けるように構成されている。
【００２８】
一方、位置規制部材９は、図１および図２に示すように、腕時計ケース１の貫通孔１１におけるケース本体１ａの大径孔部１１ｂ内に嵌着して固定され、この状態で操作部材７の軸方向への移動操作に応じて係合部材７の弾性部１６を係脱可能に係止することにより、操作部材７の軸方向への移動を規制するように構成されている。
【００２９】
すなわち、この位置規制部材９は、図１および図２に示すように、貫通孔１１の大径孔部１１ｂ内に嵌着して固定され、かつ係合部材７が操作軸部１２と共に軸方向に沿って移動可能に挿入する円筒状の規制本体部２０と、この規制本体部２０の内周面に設けられて係合部材７の弾性部１６が係脱可能に挿入する規制凹部２１とを備えている。
【００３０】
この場合、規制凹部２１には、図１、図２および図４に示すように、係合部材７の弾性部１６を操作軸部１２の軸方向と直交する方向に向けて斜めに摺動させるための傾斜面２１ａが形成されている。すなわち、この傾斜面２１ａは、係合部材７の弾性部１６における山形部１６ａの斜面とほぼ同じ傾斜で形成されている。
【００３１】
これにより、規制凹部２１は、図１および図２に示すように、操作部材７の操作軸部１２が引き出される方向に移動する際に、弾性部１６の山形部１６ａの片側に位置する斜面を規制凹部２１の傾斜面２１ａに沿って摺動させながら徐々に押し潰すように弾性させるように構成されている。また、この規制凹部２１は、操作部材７の操作軸部１２が押し込まれる方向に移動する際に、弾性部１６の山形部１６ａの片側に位置する斜面を規制凹部２１の傾斜面２１ａに沿って摺動させながら徐々に弾性復帰させるように構成されている。
【００３２】
ところで、操作部材７の操作軸部２４には、図１および図２に示すように、巻真６の端部が取り付けられている。これにより、巻真６は、操作部材７の引き出し操作および押し込み操作に連動して軸方向に沿って移動すると共に、操作部材７の回転操作に連動して回転するように構成されている。また、この巻真６は、腕時計ケース１内に設けられた時計モジュール４内に延出されて配置されている。この場合、巻真６は、時計モジュール４内のばね部材（図示せず）のばね力によって押し出される方向に付勢されている。
【００３３】
この巻真６は、図１および図２に示すように、ばね部材（図示せず）のばね力に抗して操作部材７の操作頭部１３が押し込まれて、係合部材８の弾性部１６における山形部１６ａが位置規制部材９の規制凹部２１に挿入し、腕時計ケース１の貫通孔１１における段差部１１ｃに当接して位置規制された状態のときに、操作部材７と共に押し込まれた状態でロックされるように構成されている。
【００３４】
また、この巻真６は、図１および図２に示すように、ばね部材（図示せず）のばね力と共に操作部材７の操作頭部１３が引き出され、係合部材８の弾性部１６における山形部１６ａが押し潰れるように弾性変形して位置規制部材９の規制凹部２１から離脱した状態のときに、操作部材７に対する軸方向のロックが解除されるように構成されている。
【００３５】
さらに、この巻真６は、図１および図２に示すように、操作部材７に対する軸方向のロックが解除されて、ばね部材（図示せず）のばね力によって付勢されて、操作部材７と共に引き出される方向に移動したときに、通常の時計モードを時刻修正モードに切り替え、この状態で操作頭部２３が回転して、その回転に伴って巻真６が回転すると、この巻真６の回転に応じて時刻修正を行うように構成されている。
【００３６】
次に、このような腕時計のスイッチ装置５の作用について説明する。
このスイッチ装置５を使用する場合には、図１に示す状態で、腕時計ケース１の外部に突出している操作部材７の操作頭部１３を指で摘まんで、巻真６のばね部材（図示せず）のばね力と共に引き出す。すると、操作部材７の操作軸部１２が引き出し方向に移動し、これに伴って係合部材８も同方向に移動する。
【００３７】
このときには、係合部材８の筒状部１５に設けられた係合フック１７が操作軸部１２の係止溝１８に係止されているので、操作軸部１２の引き出し動作に応じて係合部材８の筒状部１５が位置規制部材９の規制本体部２０内を引き出し方向に向けて移動する。すると、図２に示すように、係合部材８の筒状部１５に設けられた弾性部１６が押し潰されるように弾性変形しながら位置規制部材９の規制凹部２１内から離脱する。
【００３８】
すなわち、弾性部１６は、筒状部１５の外周部に環状に設けられた山形部１６ａと、この山形部１６ａに筒状部１５の軸方向に沿って設けられた複数のスリット孔１６ｂとを有していることにより、係合部材８の筒状部１５が操作軸部１２と共に引き出し方向に移動する際に、山形部１６ａの片側に位置する斜面が位置規制部材９の規制凹部２１の傾斜面２１ａに沿って弾力的に押し下げられるように移動する。
【００３９】
このため、弾性部１６の山形部１６ａが操作軸部１２の引き出し動作に応じて徐々に押し潰されるように弾性変形する。そして、山形部１６ａが押し潰されると、山形部１６ａが操作軸部１２の外周面に押し付けられて筒状部１５と同じ円筒形状になり、この押し潰された状態の山形部１６ａが位置規制部材９の規制本体部２０内を引き出し方向に移動する。
【００４０】
これにより、位置規制部材９に対する係合部材８の弾性部１６によるロックが解除され、巻真６が操作部材７と共に引き出し方向に移動し、時計モジュール４の時計モードを時刻修正モードに切り替える。この状態で、操作頭部２３を回転させると、その回転に伴って巻真６が回転し、この巻真６の回転に応じて時刻修正が行われる。
【００４１】
一方、スイッチ装置５を使用しない場合には、図２に示す状態で、操作部材７の操作頭部１３を巻真６のばね部材（図示せず）のばね力に抗して腕時計ケース１の内部に向けて押し込む。すると、操作部材７の操作軸部１２が押し込み方向に移動し、これに伴って係合部材８も同方向に移動する。このときには、係合部材８の筒状部１５に設けられた係合フック１７が操作軸部１２の係止溝１８に係止されているので、操作軸部１２の押し込み動作に応じて係合部材８の筒状部１５が位置規制部材９の規制本体部２０内を押し込み方向に向けて移動する。
【００４２】
そして、図１に示すように、係合部材８の筒状部１５に設けられた弾性部１６が位置規制部材９の規制凹部２１に対応すると、弾性部１６が弾性復帰しながら位置規制部材９の規制凹部２１内に向けて挿入する。すなわち、弾性部１６は、筒状部１５の外周部に環状に設けられた山形部１６ａが筒状部１５と同じ形状に押し潰されているので、この押し潰された状態の山形部１６ａが位置規制部材９の規制凹部２１に対応すると、徐々に弾性復帰する。
【００４３】
このときには、係合部材８の弾性部１６における山形部１６ａの片側に位置する斜面が位置規制部材９の規制凹部２１の傾斜面２１ａに沿って弾力的に押し上げられるように摺動する。このため、弾性部１６の山形部１６ａが操作軸部１２の押し込み動作に応じて徐々に弾性復帰しながら規制凹部２１内に挿入する。そして、規制凹部２１内に挿入された山形部１６ａが腕時計ケース１の貫通孔１１における段差部１１ｃに当接すると、弾性部１６の山形部１６ａが位置規制部材９によって位置規制される。
【００４４】
これにより、操作部材７が押し込まれた状態で、係合部材８の弾性部１６が位置規制部材９によって位置規制されてロックされる。この状態では、巻真６がばね部材（図示せず）のばね力に抗して時計モジュール４内に押し込まれるので、時刻修正モードから通常の時計モードに切り替わる。このため、操作部材７の操作頭部１３を回転させて、巻真６を回転させても、スイッチ動作せず、時刻修正は行われない。
【００４５】
このように、この腕時計のスイッチ装置５によれば、貫通孔１１を有する腕時計ケース１と、この腕時計ケース１の貫通孔１１内に挿入される操作軸部１２およびこの操作軸部１２の外端部に設けられた操作頭部１３を有する操作部材７と、この操作部材７の操作軸部１２の軸方向に対して直交する方向に弾性変形する弾性部１６を有する係合部材８と、操作部材７の軸方向への移動操作に応じて係合部材７の弾性部１６を係脱可能に係止することにより、操作部材７の軸方向への移動を規制する位置規制部材９と、を備えているので、簡単な操作で操作部材７のロックおよびロック解除が容易にできる。
【００４６】
すなわち、この腕時計のスイッチ装置５では、操作部材７の操作頭部１３を回転させずに引き出して操作軸部１２を軸方向に移動させるだけで、係合部材８の弾性部１６を弾性変形させて位置規制部材９に対する弾性部１６の係合を解除することができ、またこの状態で、操作部材７の操作頭部１３を回転させずに押し込んで操作軸部１２を軸方向に移動させるだけ、係合部材８の弾性部１６を弾性復帰させて位置規制部材９に係止させることができる。このため、操作部材７を回転操作する必要がなく、引き出し操作および押し込み操作をするだけの簡単な操作で、操作部材７のロックおよびロック解除が容易にできる。
【００４７】
この場合、係合部材８は、操作部材７の操作軸部１２の外周面に取り付けられる筒状部１５を有し、この筒状部１５に弾性部１６が設けられていることにより、筒状部１５に操作部材７の操作軸部１２を挿入するだけで、筒状部１５を操作軸部１２の外周面に簡単に装着することができ、これにより弾性部１６を操作部材７の操作軸部１２に対して確実にかつ良好に取り付けることができる。
【００４８】
すなわち、この係合部材８は、筒状部１５の端部に係合フック１７が筒状部１５の内部側に向けて突出して形成され、この係合フック１７が操作部材７の操作軸部１２に外周面に設けられた係止溝１８に係止されることにより、筒状部１５が操作軸部１２の軸方向に移動することなく、筒状部１５を操作軸部１２に対して確実に取り付けることができるので、操作軸部１２に対する筒状部１５の取付構造が簡単で、筒状部１５を容易に操作軸部１２に取り付けることができる。
【００４９】
また、弾性部１６は、筒状部１５の一端部である内側の端部にその外周に沿って形成された山形部１６ａと、この山形部１６ａに筒状部１５の軸方向に沿って形成された複数のスリット孔１６ｂとを有し、山形部１６ａが複数のスリット孔１６ｂによって筒状部１５の軸方向に対して直交する方向に弾性変形することにより、弾性部１６を筒状部１５に簡単にかつ容易に形成することができる。
【００５０】
この場合、弾性部１６は、山形部１６ａが複数のスリット孔１６ｂによって筒状部１５の軸方向に対して直交する方向に弾性変形するので、山形部１６ａが押し潰されるように弾性変形することにより、位置規制部材９による山形部１６ａの係止を解除することができ、また押し潰された状態の山形部１６ａが山形状に弾性復帰することにより、位置規制部材９に対して山形部１６ａを係止させることができる。
【００５１】
また、位置規制部材９は、腕時計ケース１の貫通孔１１内に固定された状態で、係合部材８が操作軸部１２と共に軸方向に沿って移動可能に挿入する円筒状の規制本体部２０と、この規制本体部２０の内周面に設けられて弾性部１６が係脱可能に挿入する規制凹部２１とを備えているので、弾性部１６が位置規制部材９の規制凹部２１に係合した際に、操作部材７をロックすることができ、また係合部材８が操作軸部１２と共に軸方向に沿って移動する際に、弾性部１６を弾力的に押し潰して規制凹部２１内から離脱させることができ、これにより操作部材７のロックを解除することができる。
【００５２】
すなわち、この位置規制部材９は、係合部材８が操作軸部１２と共に軸方向に沿って移動する際に、弾性部１６の山形部１６ａを弾力的に押し潰して規制凹部２１から離脱させることができ、これにより山形部１６ａによる操作部材７のロックを解除することができ、また押し潰された状態の山形部１６ａが規制凹部２１に対応した際に、山形部１６ａを弾性復帰させて規制凹部２１に係合させることができ、これにより規制凹部２１に対する山形部１６ａの係合によって操作部材７をロックすることができる。
【００５３】
この場合、規制凹部２１には、弾性部１６を操作軸部１２の軸方向に対して直交する方向に向けて斜めに摺動させるための傾斜面２１ａが形成されていることにより、係合部材８を操作軸部１２と共に引き出し方向に移動させてロックを解除する際に、山形部１６ａの片側に位置する斜面を規制凹部２１の傾斜面２１ａに沿って弾力的に押し下げることができるので、弾性部１６の山形部１６ａを操作軸部１２の引き出し動作に応じて徐々に押し潰すように弾性変形させることができ、これにより山形部１６ａを規制凹部２１から円滑にかつ良好に離脱させることができる。
【００５４】
また、係合部材８を操作軸部１２と共に押し込み方向に移動させてロックする際には、押し潰された状態の山形部１６ａが規制凹部２１に対応すると、山形部１６ａの片側に位置する斜面を規制凹部２１の傾斜面２１ａに沿って弾力的に押し上げるように弾性復帰させることができるので、山形部１６ａを操作軸部１２の押し込み動作に応じて徐々に弾性復帰させながら規制凹部２１内に挿入させることができ、これにより山形部１６ａを規制凹部２１内に円滑にかつ確実に係合させることができる。
【００５５】
（第２実施形態）
次に、図５〜図７を参照して、この発明を腕時計に適用した第２実施形態について説明する。なお、図１〜図４に示された第１実施形態と同一部分には同一符号を付して説明する。
この腕時計は、図５および図６に示すように、スイッチ装置２９の位置規制部材３０が第１実施形態と異なる構成であり、これ以外は第１実施形態とほぼ同じ構成になっている。
【００５６】
このスイッチ装置２９の位置規制部材３０は、図５〜図７に示すように、操作部材７の引き出し位置と押し込み位置とを規制することにより、操作部材７のストロークを規制するように構成されている。すなわち、この位置規制部材３０は、腕時計ケース１の貫通孔１１内に固定された状態で、係合部材８が操作軸部１２と共に軸方向に沿って移動可能に挿入する円筒状の規制本体部３１と、この規制本体部３１の内周面に設けられて係合部材８の弾性部１６が係脱可能に挿入する第１、第２の各規制凹部３２、３３とを備えている。
【００５７】
この場合、第１、第２の各規制凹部３２、３３は、図５〜図７に示すように、規制本体部３１の内周面における軸方向に沿う複数の個所にそれぞれ設けられている。すなわち、第１規制凹部３２は、第１実施形態と同様、腕時計ケース１の内部側に位置する規制本体部３１の内端部における内周面に環状に設けられている。この場合にも、第１規制凹部３２には、弾性部１６を操作軸部１２の軸方向と直交する方向に向けて斜めに摺動させるための傾斜面３２ａが形成されている。
【００５８】
また、第２規制凹部３３は、図５〜図７に示すように、規制本体部３１の軸方向における中間部に位置する内周面に環状に設けられている。この第２規制凹部３３には、弾性部１６を操作軸部１２の軸方向と直交する方向に向けて斜めに摺動させるための一対の傾斜面３３ａがＶ字形状に形成されている。すなわち、このＶ字形状の一対の傾斜面３３ａも、弾性部１６の山形部１６ａの各斜面とほぼ同じ傾斜で形成されている。
【００５９】
これにより、第２規制凹部３３は、図５〜図７に示すように、操作軸部１２が引き出される方向に移動して、弾性部１６の山形部１６ａが押し潰された状態で第２規制凹部３３に対応した際に、この押し潰された状態の山形部１６ａを第２規制凹部３３の各傾斜面３３ａに沿って摺動させながら徐々に弾性復帰させることにより、クリック感をもって第２規制凹部３３に係合させて引き出し位置に規制するように構成されている。
【００６０】
また、この第２規制凹部３３は、図５〜図７に示すように、弾性部１６の山形部１６が挿入して係合した状態で、操作軸部１２が押し込まれる方向に移動する際に、山形部１６ａを第２規制凹部３３の各傾斜面３３ａに沿って摺動させながら徐々に押し潰す方向に弾性させることにより、山形部１６ａを操作軸部１２の外周面に押し付けて筒状部１５の外径と同じ円筒形状になるように構成されている。
【００６１】
次に、このような腕時計のスイッチ装置２９の作用について説明する。
このスイッチ装置２９を使用する場合には、図５に示す状態で、腕時計ケース１の外部に突出している操作部材７の操作頭部１３を指で摘まんで、巻真６のばね部材（図示せず）のばね力と共に引き出す。すると、第１実施形態と同様、操作部材７の操作軸部１２が引き出し方向に移動し、これに伴って係合部材８も同方向に移動する。
【００６２】
すると、第１実施形態と同様、係合部材８の筒状部１５に設けられた弾性部１６が弾性変形しながら位置規制部材３０の第１規制凹部３２内から離脱する。すなわち、弾性部１６は、係合部材８の筒状部１５が操作軸部１２と共に引き出し方向に移動する際に、山形部１６ａの片側に位置する斜面が第１規制凹部３２の傾斜面３２ａに沿って弾力的に押し下げられるように移動する。
【００６３】
このため、弾性部１６の山形部１６ａが操作軸部１２の引き出し動作に応じて徐々に押し潰されるように弾性変形する。そして、山形部１６ａが押し潰されて操作軸部１２の外周面に押し付けられると、第１実施形態と同様、山形部１６ａが筒状部１５と同じ円筒形状になり、この押し潰された状態の山形部１６ａが位置規制部材３０の規制本体部３１内を引き出し方向に移動する。
【００６４】
そして、押し潰された状態の弾性部１６が位置規制部材３０の第２規制凹部３３に移動して対応すると、図６に示すように、押し潰された状態の弾性部１６が弾性復帰しながら第２規制凹部３３内に向けて挿入する。すなわち、弾性部１６は、筒状部１５の山形部１６ａが筒状部１５と同じ形状に押し潰されているので、この押し潰された状態の山形部１６ａが第２規制凹部３３に対応すると、徐々に弾性復帰する。
【００６５】
このときには、係合部材８の弾性部１６における山形部１６ａの各斜面が第２規制凹部３３の各傾斜面３３ａに沿って弾力的に押し上げられるように摺動する。このため、弾性部１６の山形部１６ａが操作軸部１２の引き出し動作に応じて徐々に弾性復帰しながら第２規制凹部３３内にクリック感をもって挿入する。
【００６６】
これにより、位置規制部材３０における第１規制凹部３２に対する係合部材８の弾性部１６のロックが解除され、巻真６が操作部材７と共に引き出し方向に移動し、時計モジュール４の時計モードを時刻修正モードに切り替える。この状態で、操作頭部２３を回転させると、第１実施形態と同様、その回転に伴って巻真６が回転し、この巻真６の回転に応じて時刻修正が行われる。
【００６７】
一方、スイッチ装置２９を使用しない場合には、図６に示す状態で、操作部材７の操作頭部１３を巻真６のばね部材（図示せず）のばね力に抗して腕時計ケース１の内部に向けて押し込む。すると、操作部材７の操作軸部１２が押し込み方向に移動し、これに伴って係合部材８も同方向に移動する。
【００６８】
このときには、係合部材８の筒状部１５に設けられた弾性部１６が弾性変形しながら位置規制部材３０の第２規制凹部３３内から離脱する。すなわち、弾性部１６は、係合部材８の筒状部１５が操作軸部１２と共に押し込み方向に移動する際に、山形部１６ａの片側に位置する斜面が第２規制凹部３３の各傾斜面３３ａのうち、押し込み方向に位置する傾斜面３３ａに沿って弾力的に押し下げられるように摺動する。
【００６９】
このため、弾性部１６の山形部１６ａが操作軸部１２の押し込み動作に応じて徐々に押し潰されるように弾性変形する。そして、山形部１６ａが押し潰されて操作軸部１２の外周面に押し付けられると、山形部１６ａが筒状部１５と同じ円筒形状になり、この押し潰された状態の山形部１６ａが位置規制部材３０の規制本体部３１内を押し込み方向に移動する。
【００７０】
そして、押し潰された状態の弾性部１６が位置規制部材３０の第１規制凹部３２に移動して対応すると、図５に示すように、押し潰された状態の弾性部１６が弾性復帰しながら第１規制凹部３２内に向けて挿入する。すなわち、弾性部１６は、筒状部１５の外周部に環状に設けられた山形部１６ａが筒状部１５と同じ形状に押し潰されているので、この押し潰された山形部１６ａが第１規制凹部３２に対応すると、徐々に弾性復帰する。
【００７１】
このときには、山形部１６ａの片側に位置する斜面が第１規制凹部３２の傾斜面３２ａに沿って弾力的に押し上げられるように摺動する。このため、山形部１６ａが操作軸部１２の押し込み動作に応じて徐々に弾性復帰しながら第１規制凹部３２内にクリック感をもって挿入する。そして、第１規制凹部３２内に挿入された山形部１６ａが腕時計ケース１の貫通孔１１における段差部１１ｃに当接すると、山形部１６ａが位置規制部材３０によって位置規制される。
【００７２】
これにより、操作部材７が押し込まれた状態で、係合部材８の弾性部１６が位置規制部材３０の第１規制凹部３２によって位置規制されて、操作部材７がロックされる。この状態では、巻真６がばね部材（図示せず）のばね力に抗して時計モジュール４内に押し込まれているので、時刻修正モードから通常の時計モードに切り替わる。このため、操作部材７の操作頭部１３を回転させて、巻真６を回転させても、第１実施形態と同様、スイッチ動作せず、時刻修正は行われない。
【００７３】
このように、この腕時計のスイッチ装置２９によれば、第１実施形態と同様の作用効果があるほか、位置規制部材３０の規制本体部３１の内周面に第１、第２の各規制凹部３２、３３が規制本体部３１の軸方向における複数の個所にそれぞれ設けられているので、操作部材７を引き出す際、および操作部材７を押し込む際に、操作部材７を確実にかつ良好に位置規制することができる。
【００７４】
すなわち、このスイッチ装置２９では、操作部材７を引き出す際に、係合部材８の弾性部１６を位置規制部材３０の第１規制凹部３２から離脱させて第２規制凹部３３に係合させることができ、これにより操作部材７の引き出し位置を規制することができ、また操作部材７を押し込む際に、係合部材８の弾性部１６を位置規制部材３０の第２規制凹部３３から離脱させて第１規制凹部３２に係合させることができ、これにより操作部材７の押し込み位置を規制することができる。
【００７５】
また、このスイッチ装置２９では、操作部材７を引き出す際に、係合部材８の弾性部１６が位置規制部材３０の第１規制凹部３２から離脱して第２規制凹部３３に弾力的に係合するので、クリック感をもって操作部材７を引き出し位置に規制することができ、また操作部材７を押し込む際に、係合部材８の弾性部１６が位置規制部材３０の第２規制凹部３３から離脱して第１規制凹部３２に係合するので、クリック感をもって操作部材７を押し込み位置に規制することができる。
【００７６】
すなわち、このスイッチ装置２９によれば、操作部材７を引き出す際に、弾性部１６の山形部１６ａが位置規制部材３０の第１規制凹部３２から押し潰された状態で離脱し、この押し潰された状態の山形部１６ａが第２規制凹部３３に弾性復帰して係合するので、クリック感をもって操作部材７を引き出し位置に規制することができ、これにより確実にかつ良好に操作部材７の引き出し操作ができる。
【００７７】
また、このスイッチ装置２９によれば、操作部材７を押し込む際に、弾性部１６の山形部１６ａが位置規制部材３０の第２規制凹部３３から押し潰された状態で離脱し、この押し潰された状態の山形部１６ａが第１規制凹部３２に弾性復帰して係合するので、クリック感をもって操作部材７を押し込み位置に規制することができ、これにより確実にかつ良好に操作部材７の引き出し操作ができる。
【００７８】
なお、上述した第２実施形態では、位置規制部材３０の規制本体部３１の内周面に第１、第２の各規制凹部３２、３３を設けた場合について述べたが、これに限らず、例えば３つ以上の規制凹部を設けても良い。
【００７９】
また、上述した第２実施形態では、第２規制凹部３３のＶ字形状の一対の傾斜面３３ａが、弾性部１６の山形部１６ａの各斜面とほぼ同じ傾斜で形成されているものとしたが、これに限らず、第２規制凹部３３のＶ字形状の深さは、弾性部１６の山形部１６ａよりも浅くても良い。また、第２規制凹部３３のＶ字形状の一対の傾斜面３３ａは、弾性部１６の山形部１６ａの各斜面よりも緩い傾斜で形成されているものとしても良い。このようにすることで、操作部材７を押し込む際に、クリック感をもってスムーズに操作部材７を押し込み位置に規制することができ、確実にかつ良好に操作部材７の引き出し操作ができる。
【００８０】
また、上述した第１、第２の各実施形態では、係合部材８を操作部材７の操作軸部１２に設け、位置規制部材９、３０を腕時計ケース１の貫通孔１１内に設けた場合について述べたが、これに限らず、例えば腕時計ケース１の貫通孔１１内に係合部材８を設け、操作部材７の操作軸部１２に位置規制部材９、３０を設けた構成であっても良い。この場合には、位置規制部材９、３０の各規制凹部２１、３２、３３を操作部材７の操作軸部１２の外周面に直接設けることができる。このため、部品点数を削減することができ、より一層、構造の簡素化を図り、低価格化をも図ることができる。
【００８１】
さらに、上述した第１、第２の各実施形態では、腕時計に適用した場合について述べたが、必ずしも腕時計である必要はなく、例えばトラベルウオッチ、目覚まし時計、置き時計、掛け時計などの各種の時計に適用することができるほか、必ずしも時計に限らず、メータなどの計測機器などにも広く適用することができる。
【００８２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８３】
（付記）
請求項１に記載の発明は、貫通孔を有するケースと、このケースの前記貫通孔内に挿入される軸部およびこの軸部の外端部に設けられた操作部を有する操作部材と、この操作部材の前記軸部の軸方向に対して直交する方向に弾性変形する弾性部を有する係合部材と、前記操作部材の軸方向への移動操作に応じて前記係合部材の前記弾性部を係脱可能に係止することにより、前記操作部材の軸方向への移動を規制する位置規制部材と、を備えていることを特徴とするスイッチ装置である。
【００８４】
請求項２に記載の発明は、請求項１に記載のスイッチ装置において、前記係合部材は、前記操作部材の前記軸部の外周面に取り付けられる筒状部を有し、この筒状部に前記弾性部が設けられていることを特徴とするスイッチ装置である。
【００８５】
請求項３に記載の発明は、請求項２に記載のスイッチ装置において、前記弾性部は、前記筒状部の一端部にその外周に沿って形成された山形部と、この山形部に前記筒状部の軸方向に沿って形成された複数のスリット孔とを有し、前記山形部が前記複数のスリット孔によって前記筒状部の軸方向に対して直交する方向に弾性変形することを特徴とするスイッチ装置である。
【００８６】
請求項４に記載の発明は、請求項１〜請求項３のいずれかに記載のスイッチ装置において、前記位置規制部材は、前記ケースの前記貫通孔内に固定された状態で、前記係合部材が前記操作部材の前記軸部と共に軸方向に沿って移動可能に挿入する筒状の規制本体部と、この規制本体部の内周面に設けられて前記係合部材の前記弾性部が係脱可能に挿入する規制凹部とを備えていることを特徴とするスイッチ装置である。
【００８７】
請求項５に記載の発明は、請求項４に記載のスイッチ装置において、前記規制凹部には、前記係合部材の前記弾性部を前記軸部の軸方向に対して直交する方向に向けて斜めに摺動させるための傾斜面が形成されていることを特徴とするスイッチ装置である。
【００８８】
請求項６に記載の発明は、請求項４または請求項５に記載のスイッチ装置において、前記位置規制部材は、前記規制凹部が前記規制本体部の内周面における軸方向の複数個所にそれぞれ設けられていることを特徴とするスイッチ装置である。
【符号の説明】
【００８９】
１  腕時計ケース
４  時計モジュール
５、２９  スイッチ装置
６  巻真
７  操作部材
８  係合部材
９、３０  位置規制部材
１１  貫通孔
１１ａ  小径孔部
１１ｂ  大径孔部
１１ｃ  段差部
１２  操作軸部
１３  操作頭部
１５  筒状部
１６  弾性部
１６ａ  山形部
１６ｂ  スリット孔
１７  係合フック
１８  係止溝
２０、３１  規制本体部
２１  規制凹部
２１ａ  傾斜面
３２、３３  第１、第２の規制凹部
３２ａ、３３ａ  傾斜面
【図１】
2014089109.tif 000003
【図２】
2014089109.tif 000004
【図３】
2014089109.tif 000005
【図４】
2014089109.tif 000006
【図５】
2014089109.tif 000007
【図６】
2014089109.tif 000008
【図７】
2014089109.tif 000009